(57)【特許請求の範囲】
【請求項１】
精米機と、
精米機で発生した糠を空気とともに吸引して送る送風機と、
利用客が糠を取出可能な糠取出部と、
前記糠取出部へ送られる糠以外の糠を回収する糠回収部と、
前記糠取出部が下流に接続される取出用糠排出口と、前記糠回収部が下流に接続される排気ダクトとを有し、糠を含んだ空気を前記糠回収部側と前記糠取出部側とに選択して切り換えて送る糠流路切換装置と、
前記糠流路切換装置に設けられた取出用糠排出口を開閉する切換板を有する出口開閉装置と、
を備え、
前記糠流路切換装置が、糠を含んだ空気が導入される筒状部と、筒状部の下方に続いて設けられ、下方ほど細くなって下端部の取出用糠排出口に続く円錐部と、内部の空気を排出させる前記排気ダクトと、を有する糠流路切換サイクロンで構成され、
前記排気ダクトが、筒状部を貫通して下方に延ばされ、前記排気ダクトの先端部が、前記円錐部の傾斜面および底面の少なくとも一方に近接して配置されていることを特徴とする精米設備。
【請求項２】
前記排気ダクトの先端部が、前記円錐部の下半部に対応する位置まで下方に延ばされていることを特徴とする請求項１に記載の精米設備。
【請求項３】
前記排気ダクトの先端部と前記円錐部の傾斜面との離間距離が、前記排気ダクトの先端部と前記円錐部の底面との離間距離よりも小さいことを特徴とする請求項１または２に記載の精米設備。
【請求項４】
前記糠取出部に、糠を排出する糠取出用サイクロンが設けられ、
前記取出用糠排出口に続く糠取出用流路が、前記糠取出用サイクロンに接続されていることを特徴とする請求項１〜３の何れか１項に記載の精米設備。
【請求項５】
前記糠取出部に、利用客が出入り自在の客室に開口可能な糠取出口と、糠取出袋を着脱可能な袋係止部とが設けられ、
前記糠取出部の下部に、前記糠取出部内に排出されながら、袋係止部に取付けられた取出用袋に収容されなかった糠を回収する取出部糠回収箱が設けられ、
前記糠取出用サイクロンに設けられた排気ダクトから排出された空気を取出部糠回収箱へ送る流路が、糠取出部における客室に連通する領域とは仕切られて配設されていることを特徴とする請求項４に記載の精米設備。
【請求項６】
前記糠取出部に、利用客が出入り自在の客室に開口可能な糠取出口と、糠取出部内に下方に延びる糠シュートと、糠シュートに取り付けられて糠取出袋を着脱可能な袋係止部とが設けられ、
前記糠シュートの糠排出部は、利用客が臨む前面部と左右の側面部とは覆われている一方、背面側は糠取出部内空間に繋がるように開放され、
前記糠取出部の下部に、前記糠取出部内に排出されながら、袋係止部に取付けられた取出用袋に収容されなかった糠を回収する取出部糠回収箱が設けられていることを特徴とする請求項１〜５の何れか１項に記載の精米設備。
【発明の詳細な説明】
【技術分野】
【０００１】
本発明は精米設備に関し、特に、精米設備における糠の持ち帰り可能な構造に関する。
【背景技術】
【０００２】
例えば、特許文献１には、貨幣を投入して精米する精米設備において、利用客が精米設備で発生した糠を持ち帰ることが可能な構造が開示されている。この精米設備では、精米機で発生した糠を送風機で糠取出用タンクに空気とともに送り、糠取出用タンクにおいて所定量の糠を溜め、糠取出用タンクに溜めた糠が一定量を越えると、糠が、別途設けた回収用サイクロンを介して糠回収容器に溜めるよう構成されている。糠取出用タンクには、その下端部に設けられた糠取出口を開閉する開閉具が取り付けられており、利用客は開閉具を開けることで、糠取出用タンクに溜められた糠を持ち帰ることができる。
【先行技術文献】
【特許文献】
【０００３】
【特許文献１】特開平１１−２５３８２７号公報
【発明の概要】
【発明が解決しようとする課題】
【０００４】
しかしながら、上記した従来の精米設備では、利用客が糠を持ち帰る場合、既に所定量の糠が溜められている糠取出用タンクから順次、糠を排出する構造（すなわち、以前に別の利用客などが精米して溜められた糠を持ち帰る構造）である。したがって、利用客自身が持ち込んで精米した糠については、糠取出用タンクに溜められた糠の上に積層されたり、糠回収容器に回収されたりするだけであり、利用客自身が持ち込んで精米した糠を持って帰ることはできなかった。また、糠取出用タンク内が長期間にわたって清掃されなかったり排出されなかったりした場合には、糠取出用タンク内の糠が古くなって、不衛生となる恐れがあった。
【０００５】
本発明は上記課題を解決するもので、利用客自身が精米することで発生した糠を持って帰ることが可能な精米設備を提供することを目的とする。
【課題を解決するための手段】
【０００６】
上記課題を解決するために本発明の精米設備は、精米機と、精米機で発生した糠を空気とともに吸引して送る送風機と、利用客が糠を取出可能な糠取出部と、前記糠取出部へ送られる糠以外の糠を回収する糠回収部と、前記糠取出部が下流に接続される取出用糠排出口と、前記糠回収部が下流に接続される排気ダクトとを有し、糠を含んだ空気を前記糠回収部側と前記糠取出部側とに選択して切り換えて送る糠流路切換装置と、前記糠流路切換装置に設けられた取出用糠排出口を開閉する切換板を有する出口開閉装置と、を備え、前記糠流路切換装置が、糠を含んだ空気が導入される筒状部と、筒状部の下方に続いて設けられ、下方ほど細くなって下端部の取出用糠排出口に続く円錐部と、内部の空気を排出させる前記排気ダクトと、を有する糠流路切換サイクロンで構成され、前記排気ダクトが、筒状部を貫通して下方に延ばされ、前記排気ダクトの先端部が、前記円錐部の傾斜面および底面の少なくとも一方に近接して配置されていることを特徴とする。
【０００７】
この構成において、切換板が取出用糠排出口を閉じている状態で、精米機や送風機が稼働されると、糠を含んだ空気が、糠流路切換装置である糠流路切換サイクロンに導入される。糠流路切換サイクロンでは、取出用糠排出口が閉じられているため、糠が、排気ダクトおよび糠回収用流路を介して糠回収部に送られて回収される。この場合に、排気ダクトが、筒状部を貫通して下方に延ばされ、排気ダクトの先端部が、円錐部の傾斜面および底面の少なくとも一方に近接して配置されているため、糠流路切換サイクロン内に糠が残ることなく排気ダクトで吸引されて、糠回収部に送られる。
【０００８】
一方、取出用糠排出口が開けられている状態で、精米機や送風機が稼働されると、糠を含んだ空気が、糠流路切換装置である糠流路切換サイクロンに導入され、糠流路切換サイクロンに導入された糠が、取出用糠排出口を介して糠取出部に送り出され、利用客はこの糠を取り出し可能である。この場合に、切換板が取出用糠排出口を閉じている状態では、糠は糠流路切換サイクロンに残っていないため、利用客は、利用客自身で持ち込んで精米した糠を持ち帰ることができる。
【０００９】
また、本発明の精米設備は、前記排気ダクトの先端部が、前記円錐部の下半部に対応する位置まで下方に延ばされていることを特徴とする。この構成により、糠流路切換サイクロンに前回精米処理して発生した糠が残ることを最小限に抑えることができる。すなわち、前記排気ダクトの先端部が、前記円錐部の上半部に対応する位置までしか下方に延ばされていない場合には、前記円錐部の下半部に糠が残る恐れがあるが、このようなことを防止することができる。
【００１０】
また、本発明の精米設備は、前記排気ダクトの先端部と前記円錐部の傾斜面との離間距離が、前記排気ダクトの先端部と前記円錐部の底面との離間距離よりも小さいことを特徴とする。この構成により、糠流路切換サイクロンの内部に糠が残ることをより確実に防止することができる。
【００１１】
また、本発明の精米設備は、前記糠取出部に、糠を排出する糠取出用サイクロンが設けられ、前記取出用糠排出口に続く糠取出用流路が、前記糠取出用サイクロンに接続されていることを特徴とする。この構成により、精米時に発生する糠が、利用客が糠を取出可能な糠取出部に送られる際には、糠が、糠流路切換サイクロンと糠取出用サイクロンとの２つのサイクロンを通して送られることとなり、例え、精米時に利用客が糠取出部から糠を取り出そうとした場合でも、糠取出部からの糠を含んだ空気の吹き出しを抑えることができる。
【００１２】
また、本発明の精米設備は、前記糠取出部に、利用客が出入り自在の客室に開口可能な糠取出口と、糠取出袋を着脱可能な袋係止部とが設けられ、前記糠取出部の下部に、前記糠取出部内に排出されながら、袋係止部に取付けられた取出用袋に収容されなかった糠を回収する取出部糠回収箱が設けられ、前記糠取出用サイクロンに設けられた排気ダクトから排出された空気を取出部糠回収箱へ送る流路が、糠取出部における客室に連通する領域とは仕切られて配設されていることを特徴とする。
【００１３】
この構成により、利用客が持ち込んで精米して発生した糠を、袋係止部に取付けられた取出用袋に回収して良好に取り出すことができる。また、取出用袋に回収した糠が満杯になるなどして、糠取出部内への排出できなくなった状態で糠取出口が開けられても、糠取出用サイクロンに設けられた排気ダクトから排出された空気は、糠取出部における客室に連通する領域とは仕切られて配設されている流路を通して、取出部糠回収箱に回収することができ、糠を含んだ空気が客室に吹出すことを防止したり、吹き出す勢いを最小限に抑えたりすることができる。
【００１４】
また、本発明の精米設備は、前記糠取出部に、利用客が出入り自在の客室に開口可能な糠取出口と、糠取出部内に下方に延びる糠シュートと、糠シュートに取り付けられて糠取出袋を着脱可能な袋係止部とが設けられ、前記糠シュートの糠排出部は、利用客が臨む前面部と左右の側面部とは覆われている一方、背面側は糠取出部内空間に繋がるように開放され、前記糠取出部の下部に、前記糠取出部内に排出されながら、袋係止部に取付けられた取出用袋に収容されなかった糠を回収する取出部糠回収箱が設けられていることを特徴とする。
【００１５】
この構成により、糠シュートの糠排出部の背面側は糠取出部内空間に繋がるように開放されているため、袋係止部に取付けられた取出用袋に回収した糠が満杯になりそうな場合でも、糠が利用者側に吹出すことを防止しながら、糠を、糠シュートの糠排出部の背面側の開放部分を通して、取出部糠回収箱に回収することができる。
【発明の効果】
【００１６】
本発明によれば、糠を含んだ空気が送られて流路を切り換える糠流路切換装置を糠流路切換サイクロンで構成し、糠流路切換サイクロンに設けられている排気ダクトを、筒状部を貫通して下方に延ばし、前記排気ダクトの先端部を、前記円錐部の傾斜面および底面の少なくとも一方に近接して配置することにより、糠が糠回収部に回収される際には、糠流路切換装置である糠流路切換サイクロンに糠が残らない。したがって、利用客は、利用客自身で持ち込んで精米した糠を持ち帰ることができる。また、これにより、糠流路切換サイクロン内に古い糠が溜まったり、不衛生となったりすることがなく、常に精米した直後の糠を持ち帰ることができる。また、精米時にだけ、発生した糠を取り出すことができるため、利用者以外の人が、溜まっている糠を持ち帰ることを防止することもできる。さらに、糠流路切換装置がサイクロン（糠流路切換サイクロン）で構成されているため、万一、精米機および送風機の稼働中に糠回収部を利用客などが開けた場合でも、糠回収部から吹出す空気の勢いを弱めることができ、使い勝手の良い精米設備を実現できる。
【００１７】
また、排気ダクトの先端部が、前記円錐部の下半部に対応する位置まで下方に延ばされていることにより、糠流路切換サイクロンに前回精米処理して発生した糠が残ることを最小限に抑えることができる。また、排気ダクトの先端部と円錐部の傾斜面との離間距離が、排気ダクトの先端部と円錐部の底面との離間距離よりも小さいように配置することにより、糠流路切換サイクロンの内部に糠が残ることをより確実に防止することができる。
【００１８】
また、糠取出部に、糠を排出する糠取出用サイクロンが設けられ、取出用糠排出口に続く糠取出用流路が、前記糠取出用サイクロンに接続されていることにより、精米時に発生する糠が糠取出部に送られる際には、糠が、糠流路切換サイクロンと糠取出用サイクロンとの２つのサイクロンを通して送られることとなり、例え、精米時に利用客が糠取出部から糠を取り出そうとした場合でも、糠取出部からの糠を含んだ空気の吹き出しを抑えることができ、これによっても使い勝手の良い精米設備を実現できる。
【００１９】
また、糠取出部に、利用客が出入り自在の客室に開口可能な糠取出口と、糠取出袋を着脱可能な袋係止部とを設け、前記糠取出部の下部に糠を回収する取出部糠回収箱を設け、前記糠取出用サイクロンに設けられた排気ダクトから排出された空気を取出部糠回収箱へ送る流路を、糠取出部における客室に連通する領域とは仕切ることにより、取出用袋に回収した糠が満杯になるなどして、糠取出部内への排出できなくなった状態で糠取出口が開けられても、糠取出用サイクロンに設けられた排気ダクトから排出された空気は、糠取出部における客室に連通する領域とは仕切られて配設されている流路を通して、取出部糠回収箱に回収することができ、糠を含んだ空気が客室に吹出すことを防止したり、吹出す勢いを最小限に抑えたりすることができ、使い勝手の良い糠取出し構造を実現できる。
【００２０】
また、糠取出部に、糠取出部内に下方に延びる糠シュートと、糠シュートに取り付けられて糠取出袋を着脱可能な袋係止部とを設け、前記糠シュートの糠排出部を、利用客が臨む前面部と左右の側面部とは覆う一方で、背面側は開放させることにより、袋係止部に取付けられた取出用袋に回収した糠が満杯になりそうな場合でも、糠が利用者側に吹き出すことを防止しながら、糠を、糠シュートの糠排出部の背面側の開放部分を通して、取出部糠回収箱に回収することができて、便利である。
【図面の簡単な説明】
【００２１】
【図１】本発明の実施の形態に係る精米設備の斜視図である。
【図２】同精米設備の側面図である。
【図３】同精米設備の平面図である。
【図４】同精米設備の糠流路切換サイクロン（糠流路切換装置）およびその近傍箇所の斜視図であり、取出用糠排出口が閉じられている状態を示す。
【図５】同糠流路切換サイクロンの縦断面図である。
【図６】同精米設備の出口開閉装置およびその近傍箇所の斜視図で、取出用糠排出口が開けられている状態を示す。
【図７】同精米設備の糠取出部の斜視図である。
【図８】同精米設備の糠シュートの斜め前方からみた斜視図である。
【図９】同精米設備の糠シュートの斜め後方からみた斜視図である。
【図１０】精米設備の変形例の糠流路切換サイクロンの縦断面図である。
【発明を実施するための形態】
【００２２】
以下、本発明の実施の形態に係る精米設備について、図面を用いて説明する。
図１〜図３における１は本発明の実施の形態に係る精米設備であり、この精米設備１は、コイン（硬貨などの貨幣）を投入することにより自動的に精米作業を行ういわゆるコイン式の精米設備１である。図２、図３に示すように、精米設備１の建屋２内には、利用客などが自由に出入りできる客室４と、精米機７などが配設されて利用客が出入りできない機械室３とが設けられ、これらの客室４と機械室３とが仕切壁５で仕切られている。
【００２３】
図３に示すように、客室４に臨む箇所には精米対象となる玄米を投入する投入ホッパ６が設けられている。投入ホッパ６に投入された玄米は、玄米搬送装置（被処理米搬送装置）９によって、機械室３内に設置された精米機７へ供給される。精米機７の下方には、精米された米を精米機７から客室４内へ排出して溜めて利用客が取出可能とされた白米ホッパ８が設けられている。
【００２４】
図１〜図３などに示すように、この精米設備１では、精米時に、精米機７から発生した糠を客室４側に取出し可能な状態で回収して持ち帰りできるよう構成されている。具体的な構成を以下に説明する。機械室３において、精米機７には、精米機７が精米時に発生する糠を空気とともに吸引して下流側へ送り出す送風機１１が吸引流路１２を介して接続されている。また、機械室３には、利用客が糠を取出可能な糠取出部４０と、糠取出部４０へ送り出される以外の糠を回収する糠回収部６０と、糠を含んだ空気を糠回収部６０と糠取出部４０とに選択して切り換えて送る糠流路切換装置と、この糠流路切換装置に設けられている取出用糠排出口２３を開閉する切換板３１を有する出口開閉装置３０と、が設けられている。そして、前記糠流路切換装置が糠流路切換サイクロン２０により構成されている。
【００２５】
図４、図５などに示すように、糠流路切換サイクロン２０は、送風機１１の吹出口に接続された送風流路１３に接続されて糠を含んだ空気が導入される筒状部２１と、筒状部２１の下方に続いて設けられ、下方ほど細くなって下端部の取出用糠排出口２３に続く円錐部２２と、内部の空気を排出させる排気ダクト２４と、を有する。また、取出用糠排出口２３を開閉する切換板３１を有する出口開閉装置３０が糠流路切換サイクロン２０の下端部に取り付けられている。図１〜図３などに示すように、取出用糠排出口２３には、出口開閉装置３０の切換板３１が出退する箇所および糠取出用流路４１を介して、糠取出部４０側に接続されている。排気ダクト２４は、その上端部が、糠回収用流路６１を介して、糠回収部６０に接続されている。糠回収部６０には、糠回収用流路６１に接続された糠回収用サイクロン６２と、この糠回収用サイクロン６２から排出される糠が収容される糠回収容器（いわゆるフレコンバック）６３とが設けられている。なお、この実施の形態では、糠流路切換サイクロン２０の筒状部２１は直径が一定な直筒形状とされているが、これに限るものではない。
【００２６】
図５などに示すように、糠流路切換サイクロン２０の排気ダクト２４は、筒状部２１を貫通して下方に延ばされている。そして、排気ダクト２４の先端部（下端部）が、円錐部２２の傾斜面２２ａおよび円錐部２２の底面２２ｂ（取出用糠排出口２３に相当する箇所）の少なくとも一方に近接して配置されている。この実施の形態では、排気ダクト２４の先端部（下端部）が、円錐部２２の傾斜面２２ａに近接させて配設され、排気ダクト２４の先端部が、円錐部２２の下半部（円錐部２２を高さ方向に２分した場合の下部領域）に対応する位置まで下方に延ばされている。また、排気ダクト２４の直径が円錐部２２の底面２２ｂ（取出用糠排出口２３）の直径よりも若干大きく、排気ダクト２４の先端部と円錐部２２の傾斜面２２ａとの離間距離Ａが、排気ダクト２４の先端部と円錐部２２の底面２２ｂとの離間距離Ｂよりも小さくなるよう配置されている。
【００２７】
なお、この実施の形態では、例えば、糠流路切換サイクロン２０の円錐部２２の底面２２ｂに相当する箇所全体が取出用糠排出口２３とされているが、これに限るものではなく、円錐部２２の底面２２ｂの一部である中央寄り領域だけが取出用糠排出口２３とされていてもよい。
【００２８】
図４〜図６などに示すように、出口開閉装置３０は、取出用糠排出口２３に対応する大きさの孔３１ａが切換板３１に形成されており、この切換板３１が、支持枠３４、駆動源３２、伸縮支持アーム３３を介して横方向に出退自在とされている。また、切換板３１の出退位置近傍箇所には、切換板３１の出退位置を検知する位置センサ（例えば、リミットスイッチなどからなる）３５Ａ、３５Ｂが設けられて、切換板３１による開度が制御されている。また、駆動源３２は、コイン（硬貨）が投入されて、客室４に臨んで設けられた糠取出用ボタンスイッチ（糠取出指示手段）３６が押された場合のみ、図示しない制御部により、切換板３１の孔３１ａが、取出用糠排出口２３に一致するように駆動される。図２、図４、図５などに示すように、取出用糠排出口２３に対応する箇所の下方には、糠取出用流路４１が設けられている。
【００２９】
図１〜図３、図７などに示すように、糠取出部４０には、客室４につながる前面部のみ開口部が形成された四角箱状に囲まれた糠取出室４２と、この糠取出室４２の上面部にその下端部が繋がれた状態で取付けられて糠（詳しくは糠を含む空気）を排出する糠取出用サイクロン４３と、糠取出用サイクロン４３の下端部出口から糠取出部４０の糠取出室４２内に下方に延びる糠シュート４４と、糠シュート４４の両側面にそれぞれ取り付けられて、利用者が持参した糠取出袋Ｃを着脱可能な袋係止部４５などが設けられている。糠取出室４２の前面開口部が、利用客が出入り自在の客室４に開放可能な糠取出口４６とされ、この糠取出口４６は、通常時（糠取出時以外）は、開閉可能な糠取出扉５１で閉じられている。
【００３０】
図８、図９に示すように、糠シュート４４の糠が排出される糠排出部は、利用客が臨む前面部４４ａと左右の側面部４４ｂ、４４ｃとは略長方形状に覆われている一方、背面側は糠取出部４０（糠取出室４２）内空間に繋がるように開放されている。なお、この実施の形態では、糠シュート４４が設けられている箇所には、糠取出用サイクロン４３の下端部に続くように下方に延びる排出ダクト４７が取り付けられている。
【００３１】
図１、図２などに示すように、糠取出部４０の下部（すなわち、糠取出室４２の下方）に、糠取出部４０（糠取出室４２）内に排出されながら、袋係止部４５に取付けられた取出用袋Ｃに収容されなかった糠を回収する取出部糠回収箱４８が設けられている。取出部糠回収箱４８の上面には、金網４９が取り付けられ、取出部糠回収箱４８内に落ちた糠を外部の者などが持ち帰ることはできないようになっている。
【００３２】
図７に示すように、糠取出部４０に設けられている糠取出用サイクロン４３にも内部の空気を排出する排気ダクト４３ａが設けられている。この排気ダクト４３ａは一般的なサイクロンのように、糠取出用サイクロン４３の上面部（筒状部）に接続されているだけである（排気ダクト４３ａが糠取出用サイクロン４３の下部の円錐部まで突入されてはいない）。この糠取出用サイクロン４３の排気ダクト４３ａには、排気ダクト４３ａから排出された空気を取出部糠回収箱４８へ送る送り流路５０Ａ、５０Ｂが接続されている。下流側の送り流路５０Ｂは、糠取出室４２を上下に貫通しており、送り流路５０Ｂと、糠取出部４０における客室４に連通する領域とは仕切られて（この実施の形態では、平面視して角形に仕切られている）配設されて、取出部糠回収箱４８へ連通されている。
【００３３】
上記構成において、利用客によりコイン（硬貨）が入れられた状態で投入ホッパ６に玄米が投入されると精米機７や送風機１１などが稼働されて精米作業が行われる。この際、精米機７では糠が発生して、糠は空気とともに吸引流路１２を通して送風機１１により吸引されて、送付流路１３から糠流路切換装置としての糠流路切換サイクロン２０に導入される。
【００３４】
この場合に、コイン（硬貨）が入れられて、精米動作が可能な状態では、糠取出用ボタンスイッチ（糠取出指示手段）３６が押されているかどうかが制御部で検知される。利用者が糠を持って帰る意思がないなどして、糠取出用ボタンスイッチ（糠取出指示手段）３６が押されない場合には、出口開閉装置３０の切換板３１が取出用糠排出口２３を閉じた姿勢とされる。
【００３５】
糠流路切換サイクロン２０では、取出用糠排出口２３が閉じられているため、糠が、排気ダクト２４および糠回収用流路６１を介して糠回収部６０に送られて回収される。この場合に、糠流路切換サイクロン２０の排気ダクト２４が、筒状部２１を貫通して下方に延ばされ、排気ダクト２４の先端部が、円錐部２２の傾斜面２２ａに近接して配置されているため、糠流路切換サイクロン２０内に糠が残ることなく排気ダクト２４で吸引されて、糠回収部６０に送られる。
【００３６】
一方、利用者が糠を持って帰る意思があり、精米時に、糠取出用ボタンスイッチ３６が利用者などにより押された場合には、出口開閉装置３０の切換板３１が取出用糠排出口２３に切換板３１の孔３１ａが一致する位置まで移動される。
【００３７】
これにより、糠流路切換サイクロン２０の取出用糠排出口２３が開けられている状態で、精米機７や送風機１１が稼働されると、糠流路切換サイクロン２０に導入された糠が、取出用糠排出口２３および糠取出流路４１を介して糠取出部４０に送り出される。したがって、予め、糠取出室４２の袋係止部４５に利用者が糠を持ち帰る糠取出袋Ｃを引っかけておくことにより、糠取出部４０の糠取出サイクロン４３を介して糠取出袋Ｃが排出され、利用客はこの糠を取り出し可能である。この場合に、切換板３１が取出用糠排出口２３を閉じている状態では、糠は糠流路切換サイクロン２０に残っていないため、利用客は、利用客自身で持ち込んで精米した糠を持ち帰ることができる。
【００３８】
また、これにより、糠流路切換サイクロン２０内に古い糠が溜まったり、不衛生となったりすることがなく、利用者は常に精米した直後の糠を持ち帰ることができる。また、精米時にだけ、発生した糠を取り出すことができるため、利用者以外の人が、溜まっている糠を持ち帰ることを防止することができる。さらに、糠流路切換装置がサイクロン（糠流路切換サイクロン２０）で構成されているため、万一、精米機７および送風機１１の稼働中に糠回収室４２の糠取出扉５１を利用客などが開けた場合でも、糠回収室４２から吹出す空気の勢いを弱めることができ、使い勝手の良い精米設備１を実現できる。
【００３９】
また、上記構成によれば、糠流路切換サイクロン２０の排気ダクト２４の先端部（下端部）が、円錐部２２の下半部に対応する位置まで下方に延ばされていることにより、糠流路切換サイクロン２０に前回精米処理して発生した糠が残ることを最小限に抑えることができる。すなわち、排気ダクト２４の先端部が、円錐部２２の上半部に対応する位置までしか下方に延ばされていない場合には、取出用糠排出口２３が閉じられている状態でも、排気ダクト２４の吸引力が糠流路切換サイクロン２０の底部近傍箇所まで達し難くなり、円錐部２２の下半部に糠が残る恐れがあるが、このようなことを防止することができる。
【００４０】
また、上記構成によれば、図５に示すように、糠流路切換サイクロン２０における排気ダクト２４の先端部と円錐部２２の傾斜面２２ａとの離間距離Ａが、排気ダクト２４の先端部と円錐部２２の底面２２ｂとの離間距離Ｂよりも小さいように配置している。この構成により、排気ダクト２４により吸気する領域が糠流路切換サイクロン２０の底面２２ｂの全域にわたり、糠流路切換サイクロン２０の内部に糠が残ることをより確実に防止することができて、信頼性を向上させることができる。
【００４１】
なお、必ずしも、糠流路切換サイクロン２０における排気ダクト２４の先端部と円錐部２２の傾斜面２２ａとの離間距離Ａが、排気ダクト２４の先端部と円錐部２２の底面２２ｂとの離間距離Ｂよりも小さいように配置すると好適であるが、必ずしも、これに限るものではない。すなわち、例えば、糠流路切換サイクロン２０の排気ダクト２４の直径と底面（円錐部２２の底面２２ｂ）との直径が同様である場合には、排気ダクト２４の先端部が、円錐部２２の底面２２ｂおよび底面２２ｂの両方に近接して配置してもよい。但し、図１０に示すように、糠流路切換サイクロン２０の排気ダクト２４の直径が底面（円錐部２２の底面２２ｂ）の直径よりも小さい場合には、場合によっては、糠流路切換サイクロン２０における円錐部２２の底面２２ｂにおける外周部に、排気ダクト２４の吸引力が達しなかったり不十分となったりして、糠ｄが残る恐れがある。したがって、このような場合には、送風機１１の出力を大きくしたり、糠流路切換サイクロン２０や排気ダクト２４の寸法を工夫したりするなどすることが望ましい。
【００４２】
また、上記構成によれば、糠取出部４０に、糠を排出する糠取出用サイクロン４３を設け、この糠取出用サイクロン４３を取出用糠排出口２３に続く糠取出用流路４１に接続している。これにより、精米時に発生する糠が糠取出部４０に送られる際には、糠が、糠流路切換サイクロン２０と糠取出用サイクロン４３との２つのサイクロンを通して送られることとなる。したがって、例え、精米時に利用客が糠取出部４０（糠取出室４２）から糠を取り出そうとした場合でも、糠取出部４０（糠取出室４２）からの糠を含んだ空気の吹き出しを抑えることができ、これによっても使い勝手の良い精米設備１を実現でき、さらに信頼性を向上させることができる。
【００４３】
また、上記構成によれば、糠取出部４０に、糠取出部４０内に下方に延びる糠シュート４４と、糠シュート４４に取り付けられて糠取出袋Ｃを着脱可能な袋係止部４５とを設け、糠シュート４４の糠を排出する部分を、利用客が臨む前面部４４ａと左右の側面部４４ｂ、４４ｃとは覆う一方で、背面側は開放させている。これにより、袋係止部４５に取付けられた取出用袋Ｃに回収した糠が満杯になりそうな場合でも、糠が利用者側に吹き出すことを防止しながら、糠を、糠シュート４４の糠排出部の背面側の開放部分を通して、取出部糠回収箱４８に回収することができて、便利である。
【００４４】
また、上記構成によれば、糠取出用サイクロン４３に設けられた排気ダクト４３ａから排出された空気を取出部糠回収箱４８へ送る流路を、糠取出部４０（糠取出室４２）における客室４に連通する領域とは仕切っている。これにより、取出用袋Ｃに回収した糠が満杯になるなどして、糠取出部４０内への排出できなくなった状態で万一、糠取出口４６が開けられても、糠取出用サイクロン４３に設けられた排気ダクト４３ａから排出された空気は、糠取出部４０における客室４に連通する領域とは仕切られて配設されている送り流路５０Ｂを通して、取出部糠回収箱４８に回収することができ、糠を含んだ空気が客室４に吹出すことを防止したり、吹出す勢いを最小限に抑えたりすることができ、使い勝手の良い糠取出し構造１を実現できる。
【符号の説明】
【００４５】
１      精米設備
２      建屋
３      機械室
４      客室
５      仕切壁
７      精米機
１１    送風機
２０    糠流路切換サイクロン（糠流路切換装置）
２１    筒状部
２２    円錐部
２３    取出用糠排出口
２４    排気ダクト
３０    出口開閉装置
３１    切換板
４０    糠取出部
４１    糠取出用流路
４２    糠取出室
４３    糠取出用サイクロン
４４    糠シュート
４５    袋係止部
４６    糠取出口
４７    排出ダクト
４８    取出部糠回収箱
６０    糠回収部
６１    糠回収用流路
６２    糠回収用サイクロン
６３    糠回収容器
【図１】
0006529454.tif 000002
【図２】
0006529454.tif 000003
【図３】
0006529454.tif 000004
【図４】
0006529454.tif 000005
【図５】
0006529454.tif 000006
【図６】
0006529454.tif 000007
【図７】
0006529454.tif 000008
【図８】
0006529454.tif 000009
【図９】
0006529454.tif 000010
【図１０】
0006529454.tif 000011